(57)【特許請求の範囲】
【請求項１】
申込者およびその相手が所有する一対の携帯電話機の一方から入力された出会い日時および場所の予約が両者間で成立したか否かを該一対の携帯電話機の他方の確認入力に基づいて判定する予約成立判定手段と、
該予約成立判定手段により出会い日時および場所の予約が両者間で成立したと判定される場合は、該出会い日時に到達すると、前記申込者により予め設定された音を該携帯電話機から出力させる音出力指令手段とを、含み、
該音出力指令手段は、前記申込者により予め設定された音を前記携帯電話機から出力するための音情報を送信する音情報送信手段を備え、該音情報に基づいて前記音を少なくとも前記相手が所有する携帯電話機から出力させるものであることを特徴とする携帯電話機用出会い支援装置。
【請求項２】
申込者およびその相手が所有する一対の携帯電話機の一方から入力された出会い日時および場所の予約が両者間で成立したか否かを該一対の携帯電話機の他方の確認入力に基づいて判定する予約成立判定手段と、
該予約成立判定手段により出会い日時および場所の予約が両者間で成立したと判定される場合は、前記一対の携帯電話機の一方が他方の携帯電話機に接近したことを判定する接近判定手段と、前記申込者により予め設定された音を前記携帯電話機から出力するための音情報を該携帯電話機へ送信する音情報送信手段とを有し、前記接近判定手段により前記一対の携帯電話機の一方が他方の携帯電話機に接近したことが判定されると、前記音情報に基づいて前記申込者により予め設定された音を少なくとも前記相手が所有する携帯電話機から出力させる音出力指令手段と  を、含むことを特徴とする携帯電話機用出会い支援装置。
【請求項３】
前記出会い日時に到達したか否かを判定する出会い日時到達判定手段を含み、
前記音出力指令手段は、該出会い日時到達判定手段により前記出会い日時に到達したことが判定されると、前記音情報に基づいて音を前記携帯電話機から出力させるものである請求項１の携帯電話機用出会い支援装置。
【請求項４】
予め会員登録された申込者の携帯電話機から入力された出会いデータを、該携帯電話機から入力された相手の携帯電話機の画面に表示させる出会いデータ表示手段と、
前記予約成立判定手段により該出会いデータ表示手段により表示された出会いデータが示す出会い条件が相手に受理されたことが判定された場合には、双方の携帯電話機に該出会いデータを示す予約成立確認画面を表示させる予約成立確認画面表示手段と  を含むものである請求項１乃至３のいずれかの携帯電話機用出会い支援装置。
【請求項５】
前記出会いデータが示す出会い条件を前記相手若しくは申込者の携帯電話機から入力操作に基づいて変更し、申込者若しくは相手の携帯電話機に表示させる出会い条件変更手段を含み、
前記出会い予約成立判定手段は、該出会い条件変更手段により変更された出会い条件が申込者若しくは相手によって受理されたか否かを該申込者もしくは相手の携帯電話機から入力操作に基づいて判定するものである請求項４の携帯電話機用出会い支援装置。
【請求項６】
前記申込者の携帯電話機の操作によって前記音を相手に予め通知するか否かを設定する音出力内容通知設定手段とを含み、前記予約成立確認画面表示手段は、該音出力内容通知設定手段により相手に音の内容を通知するように設定されている場合は、音の内容を含む出会いデータを示す予約成立確認画面を表示させるものである請求項４または５のいずれかの携帯電話機用出会い支援装置。
【発明の詳細な説明】
【０００１】
【産業上の利用分野】
本発明は、申込者から携帯電話機を用いて出会いを申し込まれた相手との出会いを支援する携帯電話機用出会い支援装置に関するものである。
【０００２】
【従来の技術】
申込者の携帯電話機から相手の携帯電話機へ出会いを求めるためのメールやグリーティングカードを送信するようにしたサービスが知られている。これによれば、出会い日時、出会いの場所などがメールやグリーティングカードとして送信されるので、出会いの予約が確実に行われる。
【０００３】
【発明が解決しようとする課題】
ところで、上記申込者とその相手との間の出会いに際して、時間および場所は予め予約されているものの、顔つきとか服装がどのような人物であるか不明であるため、出会いの場において必ずしも相手を特定できる訳ではなく、声を掛けた相手が人違いの場合もあった。
【０００４】
本発明は以上の事情を背景として為されたものであり、その目的とするところは、申込者とその相手との間の出会いに際して、それらの少なくとも一方を容易に特定できるようにした携帯電話機用出会い支援装置を提供することにある。
【０００５】
【課題を解決するための第１の手段】
かかる目的を達成するための第１の発明の要旨とするところは、(a) 申込者およびその相手が所有する一対の携帯電話機の一方から入力された出会い日時および場所の予約が両者間で成立したか否かをその一対の携帯電話機の他方からの確認入力に基づいて判定する予約成立判定手段と、(b) その予約成立判定手段により出会い日時および場所の予約が両者間で成立したと判定される場合は、その出会い日時に到達すると、前記申込者により予め設定された音をその携帯電話機から出力させる音出力指令手段とを、含み、(c)その音出力指令手段は、前記申込者により予め設定された音を前記携帯電話機から出力するための音情報を送信する音情報送信手段を備え、該音情報に基づいて前記音を少なくとも前記相手が所有する携帯電話機から出力させるものである。
【０００６】
【第１発明の効果】
このようにすれば、予約成立判定手段により出会い日時および場所の予約が両者間で成立したと判定される場合は、音出力指令手段により、その出会い日時に到達すると、音情報送信手段から送信された音情報に基づいて、前記申込者により予め設定された音が少なくとも前記相手が所有する携帯電話機から出力させられるので、申込者とその相手との間の出会いに際して、相手が相互に容易に且つ客観的に特定できるようになる。
【０００７】
【課題を解決するための第２の手段】
また、前記目的を達成するための第２の発明の要旨とするところは、(a) 申込者およびその相手が所有する一対の携帯電話機の一方から入力された出会い日時および場所の予約が両者間で成立したか否かをその一対の携帯電話機の他方からの確認入力に基づいて判定する予約成立判定手段と、(b) その予約成立判定手段により出会い日時および場所の予約が両者間で成立したと判定される場合は、前記一対の携帯電話機の一方が他方の携帯電話機に接近したことを判定する接近判定手段と、前記申込者により予め設定された音を前記携帯電話機から出力するための音情報を該携帯電話機へ送信する音情報送信手段とを有し、前記接近判定手段により前記一対の携帯電話機の一方が他方の携帯電話機に接近したことが判定されると、前記音情報に基づいて前記申込者により予め設定された音を少なくとも前記相手が所有する携帯電話機から出力させる音出力指令手段とを、含むことにある。
【０００８】
【第２発明の効果】
このようにすれば、予約成立判定手段により出会い日時および場所の予約が両者間で成立したと判定され、前記接近判定手段によりその申込者およびその相手が所有する一対の携帯電話機が所定距離に接近したことが判定されると、音出力指令手段により、前記音情報に基づいて前記申込者により予め設定された音が少なくとも前記相手が所有する携帯電話機から出力させられるので、申込者とその相手との間の出会いに際して、相手が相互に容易に且つ客観的に特定できるようになる。
【０００９】
【発明の他の態様】
ここで、好適には、前記一対の携帯電話機の一方が他方の携帯電話機に接近したことを判定する接近判定手段を含み、前記音出力指令手段は、前記予め設定された音を前記携帯電話機から出力するための音情報をその携帯電話機へ送信する音情報送信手段を有するものである。このようにすれば、一対の携帯電話機の一方が他方の携帯電話機に接近すると、その携帯電話機の少なくとも一方からあらかじめ設定された音が出会いの場で出力される。このことが両者にとって一種の出会いの演出或いはエンターティメントとなり、一層印象的或いは感激的な出会いが得られる利点がある。
【００１０】
また、好適には、前記申込者の携帯電話機の操作によって予め選択された音の種類を記憶する音記憶手段が設けられ、前記音情報送信手段はその音記憶手段により記憶された音を出力させるための音情報を送信するものである。このようにすれば、申込者は出会いの場で出力される音の種類を予め知っているので、申し込み者は容易に相手と出会うことができる。この音は、出会いメロディーとして音楽、旋律、歌の曲名などのいずれかから選択されたものである。
【００１１】
また、好適には、前記申込者の携帯電話機の操作によって前記音の内容すなわち例えば出会いメロディーの曲名を相手に予め通知するか否かを設定する音出力内容通知設定手段が設けられ、その音出力内容通知設定手段により相手への音出力内容の通知が設定されている場合は、予約成立確認画面表示手段は、その音の内容を出会いデータとともに表示する予約確認画面を相手の携帯電話機に表示させる表示データを送信するものである。このようにすれば、出会いの場において、双方の携帯電話機から出力される音の内容が双方に既知であるので、一層出会いが容易となる。
【００１２】
また、好適には、前記一対の携帯電話機は、それぞれのユーザＩＤをブルートゥースで発信するとともに、発信されたユーザＩＤに基づいて相互の所定距離内の接近を検出する接近検出手段と、その接近検出手段により接近が検出されるとその接近を表す接近信号を送信する接近信号送信手段とを備えたものであり、前記接近判定手段は、その接近信号送信手段により携帯電話機から送信された接近信号に基づいて前記一対の携帯電話機の一方が他方の携帯電話機に接近したことを判定するものである。このようにすれば、所定距離内の接近が高い精度で検出され、音声出力の信頼性が高められる。
【００１３】
また、好適には、予め登録された申込者の携帯電話機から入力された出会いデータを、その携帯電話機から入力された相手の携帯電話機の画面に表示させる出会いデータ表示手段と、その出会いデータ表示手段により表示された出会いデータが示す出会い条件が相手に受理されたか否かをその相手の携帯電話機から入力操作に基づいて判定する出会い予約成立判定手段と、その予約成立判定手段により出会い条件が相手に受理されたことが判定された場合には、双方の携帯電話機に予約成立確認画面を表示させる予約成立確認画面表示手段とが、さらに含まれるものである。このようにすれば、出会いデータ表示手段により表示された出会いデータが示す出会い条件が相手に受理されたか否かが予約成立判定手段により判定され、その予約成立判定手段により出会い条件が相手に受理されたことが判定された場合には、予約成立確認画面表示手段により双方の携帯電話機に予約成立確認画面が表示されるので、出会い条件が相手に受理されたことが申込者によって確認される。
【００１４】
また、好適には、前記出会いデータが示す出会い条件を前記相手もしくは申込者の携帯電話機から入力操作に基づいて変更し、申込者もしくは相手の携帯電話機に表示させる出会い条件変更手段を含み、前記出会い予約成立判定手段は、その出会い条件変更手段により変更された出会い条件が申込者もしくは相手によって受理されたか否かをその申込者もしくは相手の携帯電話機から入力操作に基づいて判定するものである。このようにすれば、前記出会い予約成立判定手段は、その出会い条件変更手段により変更された出会い条件が申込者もしくは相手によって受理されたか否かをその申込者もしくは相手の携帯電話機から入力操作に基づいて判定するものであるので、相手もしくは申込者によって出会い条件が変更された後において、予約成立確認画面表示手段により双方の携帯電話機に予約成立確認画面が表示されるので、出会い条件が相手に受理されたことが申込者によって確認される。
【００１５】
【発明の好適な実施の形態】
以下、本発明の一実施例の携帯電話機１２を用いた出会い支援（制御）装置すなわちサーバ２２の構成および作動を図面に基づいて詳細に説明する。
【００１６】
図１は、本発明の一実施例の出会い支援装置であるサーバ２２を含む携帯電話用出会い支援サービスシステム１０の構成を説明する図である。図１において、多数の携帯電話機１２は、複数の中継基地局１４を介して無線の通信チャンネルに接続され、その複数の中継基地局１４に接続された電話会社（中央演算処理装置により構成される交換機等）１６により携帯電話機１２の交換或いは接続が制御されるようになっている。この電話会社１６には、プロトコルを翻訳することによりチェックする機能を有するゲートウエイ１８、有線、無線、インターネットなどの公衆通信回線２０を介して、プロバイダなどと称される情報サービス会社のサーバ２２が接続されている。この情報サービス会社は、カラオケ演奏曲や携帯電話着信報知用音楽などの音楽データなどを提供するとともに、出会い支援サービスを実行する。
【００１７】
上記携帯電話機１２は、複数のキー２４から成るキー入力部４４とたとえば液晶表示板から構成される表示装置２６を備え、携帯電話会社との契約によって通信可能とされるとともに、ＵＩＤ（ユーザ識別番号たとえば電話番号）が付されている。上記複数のキー２４は通信相手の電話番号を入力するとき、および着信報知用音楽をダウンロードするときなどに用いられ、上記表示装置２６には入力した通信相手の電話番号、着信報知用音楽をダウンロードするとき曲名等のデータなどが表示される。
【００１８】
また、上記情報サービス会社のサーバ２２は、ＣＰＵ、ＲＯＭ、ＲＡＭ、入出力インターフェースなどを有する所謂マイクロコンピュータと同様に構成されており、種々の情報を記憶したデータベース（ＤＢ）を有する記憶装置２８を備え、携帯電話機１２の操作による出会いサービスを実行するために、申込者およびその相手が所有する一対の携帯電話機１２からの信号を処理して、それぞれ入力された出会い日時および場所の予約が両者間で成立したか否かを判定し、その出会い日時および場所の予約が両者間で成立したと判定される場合は、その出会い日時において、出会いを予約した携帯電話機であることを示す予め設定された音声出力信号すなわち曲データなどを送信して、上記一対の携帯電話機１２の少なくとも一方から音楽などを出力させる。
【００１９】
上記記憶装置２８には、各携帯電話機１２へ提供できる多数の曲名、曲名と対応させた曲データを記憶する図示しない曲記憶領域すなわち曲データベース（曲ＤＢ）３０と、サービス契約した会員の利用者ＩＤ（会員番号或いは携帯電話機の番号）、氏名、住所、携帯電話機の機種などを対応させて記憶する会員記憶領域すなわち会員データベース（会員ＤＢ）３２と、出会い日時および場所、相手のＩＤ（携帯電話機の番号）などの予約が両者間で成立したときの出会いデータを記憶する出会いデータ記憶領域すなわち出会いデータベース（出会いＤＢ）３４とが、設けられている。
【００２０】
上記携帯電話機１２は、たとえば図２に示すように構成されている。制御部４０は、予めＲＯＭ４２に記憶されたプログラムに従って入力信号を処理し、キー入力部４４から入力された相手の電話番号に従って通信或いは通話チャンネルを成立させるとともに相互の通信或いは通話が可能となるように制御する。通話状態では、アンテナ４６を介して送受信部４８に受けた通話信号をモデム部５０を介して音声コーディク部５２においてデジタルコード信号から音声信号に変換し、アナログフロントエンド５４により音声出力器（スピーカ）５６が駆動されて音声が出力される。同時に、マイクロホン５８により音声から変換された音声信号はアナログフロントエンド５４を介して音声コーディク部５２に送られてそこでデジタル信号に変換され、モデム部５０、送受信部４８、アンテナ４６を介して送信される。また、通信状態において、制御部４０は、キー入力部４４から入力された信号を通信先へ送信すると同時に、通信先から受信した信号を表示装置２６に表示させる。また、制御部４０は、他の携帯電話機１２からの着信を判定した場合には予め記憶部６０に記憶された着信メロディーをスピーカ６４から出力させるようにメロディ発生器６２を駆動するとともに、サーバ２２から出会い用メロディーのメロディーデータが送信された場合には、その出会い用メロディーをスピーカ６４から出力させるようにメロディ発生器６２を駆動する。さらに、記憶部６０に記憶されたデータをプリンタなどへブルートゥースで出力させるためのブルートゥースモジュール６６およびアンテナ６８を備えるとともに、親機機能としての自己から他の携帯電話機１２への問い掛けに対して他の携帯電話機１２からのブルートゥースで出力されたＩＤを受信してその他の携帯電話機１２の接近を判定し、その接近を表す信号をサーバ２２へ出力する。
【００２１】
図３は、前記サーバ２２の制御機能の要部を説明する機能ブロック線図である。予約成立判定手段８０は、出会いサービス会員として予め登録された申込者およびその相手が所有する一対の携帯電話機１２からそれぞれ入力された出会い日時および場所の予約が両者間で成立したか否かをその一対の携帯電話機１２からの確認入力に基づいて判定する。音出力指令手段８２は、その予約成立判定手段８０により出会い日時および場所の予約が両者間で成立したと判定される場合は、その出会い日時において出会いを予約した携帯電話機１２であることを示す予め設定された音をその一対の携帯電話機１２の少なくとも一方から出力させるように指令する。
【００２２】
接近判定手段８４は、上記一対の携帯電話機１２の一方が他方の携帯電話機１２に接近したことを、それら携帯電話機１２の少なくとも一方から送信された接近検出信号に基づいて判定する。上記音出力指令手段８２は、申込者によって予め設定された音である例えば出会いメロディー等を一対の携帯電話機１２のうちの少なくとも相手側の携帯電話機１２から出力するための音情報をその携帯電話機１２へ送信する音情報送信手段８６を有する。
【００２３】
音記憶手段８８は、出会いの申込者の携帯電話機１２の操作によって予め選択された音の種類を記憶する。上記音情報送信手段８６はその音記憶手段８８により記憶された種類の音たとえば予め選択された曲名の音楽を出力させるための曲データすなわち音情報を送信するものである。
【００２４】
音出力内容通知設定手段９０は、申込者の携帯電話機１２の操作に従って出会い時に出力される音の内容、すなわち例えば、出会いメロディーの曲名を相手に通知するか否かを設定する。後述の予約成立確認画面表示手段１００は、その音出力内容通知設定手段９０により出会い時に出力される音の内容すなわち出会いメロディーの曲名を予約成立確認画面Ｄ９に表示させ、相手に通知する。
【００２５】
携帯電話機１２には、それぞれのユーザＩＤをブルートゥースで発信されたとき、その発信されたユーザＩＤに基づいて相互の所定距離内の接近を検出する接近検出手段９２と、その接近検出手段９２により接近が検出されるとその接近を表す接近検出信号を送信する接近信号送信手段９４とを備えたものであり、前記接近判定手段８４は、その接近信号送信手段９４により携帯電話機１２から送信された接近検出信号に基づいて一対の携帯電話機１２の一方が他方の携帯電話機１２に接近したことを判定する。
【００２６】
出会いデータ表示手段９６は、予め登録された申込者の携帯電話機１２から入力された出会い日時および場所などの出会いデータを、その携帯電話機１２から入力された相手の携帯電話機１２の表示装置２６の画面に表示させる。前記予約成立判定手段８０は、その出会いデータ表示手段９６により表示された出会いデータが示す出会い条件が相手に受理されたか否かをその相手の携帯電話機１２から入力操作に基づいて判定する。予約成立確認画面表示手段１００は、その予約成立判定手段８０により出会い条件が相手に受理されたことが判定された場合には、双方の携帯電話機１２に予約成立確認画面Ｄ９を表示させる。
【００２７】
出会い条件変更手段１０２は、上記出会いデータが示す出会い条件を相手の携帯電話機１２からの入力操作に基づいて変更し、申込者の携帯電話機１２に表示させる。上記出会い予約成立判定手段８０は、その出会い条件変更手段１０２により変更された出会い条件が申込者によって受理されたか否かをその申込者の携帯電話機１２から入力操作に基づいて判定する。
【００２８】
図４乃至図６は、上記サーバ２２のＣＰＵの制御作動の要部を説明するフローチャートであり、図７は、携帯電話機１２の制御部４０の制御作動の要部を説明するフローチャートである。
【００２９】
図４のステップ（以下、ステップを省略する）Ｓ１では、所定の携帯電話機１２からたとえば「デ・メロディ」という名称が付された出会い支援サイトへのアクセスがあったか否かが判断される。このＳ１の判断が肯定される場合は、Ｓ２において、アクセスを行った携帯電話機１２の表示装置２６にたとえば図８に示すトップメニュー画面が表示される。次いで、Ｓ３において、トップメニュー画面Ｄ１から「会員登録」が選択（クリック）されたか否かがその携帯電話機１２からの操作に基づいて判断される。Ｓ３の判断が肯定される場合は、Ｓ４乃至Ｓ１１の会員登録ルーチンが実行される。先ず、Ｓ４では、会員登録操作のために、たとえば図９に示す会員登録画面Ｄ２を上記アクセスを行った携帯電話機１２の表示装置２６に表示させるための表示データがサーバ２２から送信される。この会員登録画面Ｄ２は、名前、ハンドル名、住所、性別、年齢、職業、電話番号、メールアドレスなどの、会員登録に必要な会員登録データを入力させるためのブランク部分を備えており、そのブランク部分が満たされることにより会員登録データの入力が完了させられるようになっている。
【００３０】
次いでＳ５では、取消しキーが操作されたか否かすなわち会員登録画面Ｄ２の「取消し」がクリックされたか否かが判断される。このＳ５の判断が否定される場合は前記Ｓ２以下が繰り返し実行されるが、会員登録を望んでいるときは肯定されるので、Ｓ６において、送信キーが操作されたか否かすなわち会員登録画面Ｄ２の「送信」がクリックされたか否かが判断される。会員登録データが入力されたときは上記Ｓ６の判断が肯定されるので、Ｓ７において、送信されてきた会員登録データが記憶されるとともに、登録時の課金を行うために課金案内画面を携帯電話機１２に表示させるための表示データがサーバ２２から送信される。この課金案内画面は、たとえば料金引落としのための銀行口座番号、口座名称、名義人、クレジットカード番号などの、課金に必要な課金データを入力させるためのブランク部分を備えており、そのブランク部分が満たされることにより課金データの入力が完了させられるようになっている。そして、Ｓ８では、上記のデータを入力した申込み者が会員登録を希望したか否かが、すなわち、課金データの入力完了後、課金案内画面上の「登録」が選択（クリック）されたか否かが判断される。
【００３１】
上記Ｓ８の判断が否定される場合は前記Ｓ２以下が再び実行されるが、肯定される場合は、Ｓ９において、上記入力された会員登録データおよび課金データが会員データベース３２に記憶され、Ｓ１０において、会員サービス（デ・メロディ）を実施するために必要な図７に示す出会いメロディ用プログラム（デ・メロディプログラム）が申込み者の携帯電話機１２に送信されてその記憶部６０に記憶され、Ｓ１１において、新たな登録会員に登録時の課金を行うための課金情報が電話会社に送信されるとともに、その課金情報が記憶された後、Ｓ１以下が再び実行される。
【００３２】
前記Ｓ３の判断が否定される場合すなわちトップメニュー画面Ｄ１から「会員登録」が選択（クリック）されない場合は、Ｓ１２において、トップメニュー画面Ｄ１の「待ち合わせ約束」が選択されたか否かが判断される。このＳ１２の判断が否定される場合は、Ｓ１３において、トップメニュー画面Ｄ１の「終了」が選択されたか否かが判断される。このＳ１３の判断が否定される場合は、トップメニュー画面Ｄ１の図示しない他の処理が実行されるが、肯定される場合は本ルーチンが終了させられる。
【００３３】
上記Ｓ１２の判断が肯定される場合すなわちトップメニュー画面Ｄ１の「待ち合わせ約束」が選択される場合は、Ｓ１４において、上記「待ち合わせ約束」を選択した者が登録会員であるか否かが判断される。このＳ１４の判断が否定される場合は、Ｓ１５において、上記「待ち合わせ約束」を選択した者の携帯電話機１２に会員登録を促す画面を表示させるためのデータがサーバ２２からその携帯電話機１２に送信される。しかし、上記Ｓ１４の判断が肯定される場合は、Ｓ１６において、たとえば図１０の待ち合わせ（出会い）データ入力画面Ｄ３を上記「待ち合わせ約束」を選択した者の携帯電話機１２に表示させるためのデータが送信される。次いで、Ｓ１７では、取消しキーが操作されたか否かすなわち待ち合わせ（出会い）データ入力画面Ｄ３の「取消し」がクリックされたか否かが判断される。このＳ１７の判断が肯定される場合は前記Ｓ２以下が繰り返し実行されるが、待ち合わせ（出会い）を望んでいるときは否定されるので、Ｓ１８において、次頁キーが操作されたか否かすなわち待ち合わせデータ入力画面Ｄ３の「次頁」がクリックされたか否かが判断される。このＳ１８の判断が否定される場合はＳ１７以下が繰り返し実行されるが、肯定される場合は、Ｓ１９において、上記待ち合わせデータ入力画面Ｄ３のブランクを埋めることによって携帯電話機１２から入力された出会い日時、出会い場所などを表す待ち合わせ（出会い）データが送信されてくるとそれがサーバ２２の出会いデータベース３４に記憶されるとともに、たとえば図１１に示す待ち合わせ設定画面Ｄ４を携帯電話機１２に表示させるための表示データがサーバ２２からその携帯電話機１２へ送信される。
【００３４】
次いで、Ｓ２０において、取消しキーが操作されたか否かすなわち待ち合わせ設定画面Ｄ４の「取消し」がクリックされたか否かが判断される。このＳ２０の判断が肯定される場合は前記Ｓ２以下が繰り返し実行されるが、待ち合わせ（出会い）を望んでいるときは否定されるので、Ｓ２１において、次頁キーが操作されたか否かすなわち待ち合わせ設定画面Ｄ４の「次頁」がクリックされたか否かが判断される。このＳ２１の判断が否定される場合はＳ２０以下が繰り返し実行されるが、肯定される場合は、Ｓ２２において、上記待ち合わせ設定画面Ｄ４のブランクを埋めることにより入力されたメールアドレス、ネーム、ハンドル名、伝言メッセージなどを表す待ち合わせ（出会い）設定データが送信されてくるとそれがサーバ２２の出会いデータベース３４に記憶されるとともに、たとえば図１２に示すメロディー設定画面Ｄ５を携帯電話機１２に表示させるための表示データがサーバ２２からその携帯電話機１２へ送信される。
【００３５】
次いで、Ｓ２３において、取消しキーが操作されたか否かすなわちメロディー設定画面Ｄ５の「取消し」がクリックされたか否かが判断される。このＳ２３の判断が肯定される場合は前記Ｓ２以下が繰り返し実行されるが、待ち合わせ（出会い）を望んでいるときは否定されるので、Ｓ２４において、次頁キーが操作されたか否かすなわちメロディー設定画面Ｄ５の「次頁」がクリックされたか否かが判断される。このＳ２４の判断が否定される場合はＳ２３以下が繰り返し実行されるが、肯定される場合は、音記憶手段８８に対応するＳ２５において、上記メロディー設定画面Ｄ５のブランクを埋めることにより入力された歌手名、タイトル、相手に教えるか否かなどを表すメロディー設定データが送信されてくるとそれがサーバ２２の曲データベース３０に記憶されるとともに、たとえば図１３に示す申込み側の設定確認画面Ｄ６を携帯電話機１２に表示させるための表示データがサーバ２２からその携帯電話機１２へ送信される。Ｓ２５は、出会い日時において携帯電話機１２から出力させる出会いメロディーを任意に選択するための出力選択手段、およびその出会いメロディーの内容（曲名）を相手に通知するか否かを設定する音出力内容通知設定手段９０にも対応している。
【００３６】
次いで、Ｓ２６において、取消しキーが操作されたか否かすなわち申込み側の設定確認画面Ｄ６の「取消し」がクリックされたか否かが判断される。このＳ２６の判断が肯定される場合は前記Ｓ２以下が繰り返し実行されるが、待ち合わせ（出会い）を望んでいるときは否定されるので、Ｓ２７において、送信キーが操作されたか否かすなわち申込み側の設定確認画面Ｄ６の「送信」がクリックされたか否かが判断される。このＳ２７の判断が否定される場合はＳ２６以下が繰り返し実行されるが、肯定される場合は、Ｓ２８において、相手側の携帯電話機１２に出会い申し込みメッセージ画面Ｄ７を表示させるための信号がサーバ２２からその相手側の携帯電話機１２すなわち図１１或いは図１３のメールアドレスへ送信される。この出会い申し込みメッセージ画面Ｄ７には、申込み者から相手への出会いの申込みがあった旨のメッセージ、返信先のアドレス、申込み者から相手へのメッセージ（図１１或いは、図１３に示す「伝言メッセージ」欄に入力されたメッセージ）などが表示される。そして、返信待機時間計測手段としてのＳ２９において、相手側の携帯電話機１２から返信があるまでの返信待機時間ｔAWの計数が開始された後、前記Ｓ１以下が実行される。
【００３７】
前記Ｓ１の判断が否定される場合すなわち「デ・メロディ」という名称が付された出会い支援サイトへのアクセスがないと判定される場合は、図５のＳ３０において、相手の携帯電話機１２からサーバ２２すなわち図１４の出会い申し込みメッセージ画面Ｄ７に表示されたメールアドレスへアクセスがあったか否かが判断される。また、このＳ３０の判断が否定される場合は、Ｓ３１において申込者からサーバ２２へアクセスがあったか否かが判断される。
【００３８】
上記Ｓ３０の判断が肯定される場合は、Ｓ３２において、相手の携帯電話機１２からのアクセスが予め設定された回数たとえば３回目であるか否かが判断される。当初はこのＳ３２の判断が否定されるので、出会いデータ表示手段９６、及び出会い条件変更手段１０２に対応するＳ３３において、たとえば図１５に示す待ち合わせ設定画面Ｄ８を相手の携帯電話機１２へ表示させるための表示データがサーバ２２から送信される。そして、Ｓ３４において、成立キーが操作されたか否かすなわち上記待ち合わせ設定画面Ｄ８の「都合がよい」がクリックされたか否かが判断される。このＳ３４の判断が否定される場合は、Ｓ３５において、申込み者によって設定された待ち合わせデータを変更した後に変更キーが操作されたか否かすなわち上記待ち合わせ設定画面Ｄ８の「変更したい」がクリックされたか否かが判断される。このＳ３５の判断が否定される場合は、Ｓ３６において、不都合キーが操作されたか否かすなわち上記待ち合わせ設定画面Ｄ８の「都合が悪い」がクリックされたか否かが判断される。
【００３９】
上記Ｓ３６の判断が肯定される場合は、Ｓ３７において、申込み者の携帯電話機１２に待ち合わせが成立しなかった旨の表示をさせるための表示データがサーバ２２から送信され、Ｓ３８において、返信があるまでの返信待機時間ｔAWの計数が中止された後、前記Ｓ１以下が再び実行される。また、上記Ｓ３５の判断が肯定される場合は、Ｓ３９において、相手によって変更された待ち合わせデータを出会いデータベース３４に記憶すると共に、たとえば図１７に示す返信メッセージ画面Ｄ１０を申込み者の携帯電話機１２に表示させるための表示データがサーバ２２から送信され、後述のＳ５４以下が実行される。この返信メッセージ画面Ｄ１０が申込み者の携帯電話機１２に表示させられたことに関連してＳ３１において申込み者のアクセスが判定されると、Ｓ４０において、申込み者からのアクセスが予め設定された回数たとえば２回目であるか否かが判断される。このＳ４０の判断が否定される場合はＳ４２が直接実行されるが、肯定される場合はＳ４１が実行されてからＳ４２が実行される。このＳ４１では、今回が最終回である旨のメッセージが申込み者の携帯電話機１２に表示させるための表示データがサーバ２２から送信される。続いて、前記出会い条件変更手段１０２に対応するＳ４２では、たとえば図１８に示す待ち合わせ設定画面Ｄ１１を申込み者の携帯電話機１２に表示させるための表示信号がサーバ２２から送信される。
【００４０】
そして、Ｓ４３において、成立キーが操作されたか否かすなわち上記待ち合わせ設定画面Ｄ１１の「都合がよい」がクリックされたか否かが判断される。このＳ４３の判断が否定される場合は、Ｓ４４において、変更キーが操作されたか否かすなわち相手が設定した待ち合わせデータを変更した後に上記待ち合わせ設定画面Ｄ１１の「変更したい」がクリックされたか否かが判断される。このＳ４４の判断が否定される場合は、Ｓ４３以下が繰り返し実行されるが、肯定される場合は、Ｓ４５において、申込み者の携帯電話機１２から送信されてきた待ち合わせデータが出会いデータベース３４に記憶されると共に、変更後の待ち合わせデータを相手に知らせるためにたとえば図１４の変更通知画面Ｄ７を相手の携帯電話機１２に表示させるための表示データがサーバ２２から送信される。次いで、Ｓ４６において返信があるまでの返信待機時間ｔAWの計数が中止された後、前記Ｓ１以下が再び実行される。
【００４１】
前記予約成立判定手段８０に対応するＳ３４或いはＳ４３において、申込者およびその相手がそれぞれ所有する一対の携帯電話機１２の一方からの入力による出会い日時および場所などが両者間で成立したことが、それら一対の携帯電話機１２の他方からの確認入力に基づいて判定されると、Ｓ５０において、待ち合わせ時に出力させるメロディーの曲名を相手に教えるか否かが、図１２のメロディー設定画面の「Ｙｅｓ」および「Ｎｏ」のいずれがクリックされていたか否かに基づいて判断される。このＳ５０において「教える」（Ｙｅｓ）であると判断された場合は、前記予約成立確認画面表示手段１００に対応するＳ５１において、たとえば図１６の待ち合わせ成立確認画面Ｄ９を双方の携帯電話機１２に表示させるための表示信号がサーバ２２からそれら双方の携帯電話機１２に送信される。次いで、Ｓ５２において、出会いメロディーを相手の携帯電話機１２から出力させたり、申込者の携帯電話機１２からの問い掛けに対して返信をするための出会いメロディー用プログラムがサーバ２２から送信されるとともに、Ｓ５３において、双方のメールアドレス、待ち合わせメロディー、および待ち合わせ日時が出会いデータベース３４に記憶される。そして、Ｓ４３において、返信があるまでの返信待機時間ｔAWの計数が中止された後、前記Ｓ１以下が再び実行される。なお、上記Ｓ５０の判断が否定される場合は、Ｓ５５において、相手側への曲名表示が除かれた待ち合わせ成立確認画面Ｄ９を双方の携帯電話機１２に表示させるための表示信号がサーバ２２からそれら双方の携帯電話機１２に送信された後、Ｓ５２以下が実行される。
【００４２】
Ｓ２８における申込者からの申込みの時点およびＳ４５における申込者からの変更申込みの時点からの経過時間がたとえば２４時間程度の予め設定された有効時間ｔEFを超えたか否かすなわち相手側からあらかじめ設定された有効時間内にサイトへのアクセス（返事）があったか否かが判断される。このＳ５６の判断が肯定される場合は、Ｓ５７において、申込み者の携帯電話機１２に相手からの連絡がないことによる出会い不成立の表示を行うための表示データがサーバ２２から送信される。
【００４３】
しかし、当初は上記Ｓ５６の判断が否定されるので、前記接近判定手段８４に対応するＳ５８において、申込み者および／または相手の携帯電話機１２から送信される出会い信号が受信されたか否かすなわち双方の携帯電話機１２が所定以下の距離に接近したか否かが判断される。当初はこのＳ５８の判断が否定されるので、Ｓ５９において、翌日の出会いがあるか否かが判断される。このＳ５９の判断が肯定される場合は、Ｓ６０において、１日前に案内するために、出会い予告データを双方の携帯電話機１２に表示させるための表示信号がサーバ２２から送信された後、前記Ｓ１以下が再び実行される。しかし、上記Ｓ５９の判断が否定される場合は、Ｓ６１において、本日の出会いがあるか否かすなわち成立した待合わせ日時が本日であるか否かが判断される。このＳ６１の判断が否定される場合は他の処理が実行されるが、肯定される場合は、出会い日時到達判定手段１０４に対応するＳ６２において、出会い日時に到達したか否か正確には本日の待合わせ時間よりもたとえば１０分程度の予め設定された所定時間前であるか否かが判断される。このＳ６２の判断が否定される場合は他の処理が実行されるが、肯定される場合は、プログラム起動手段としてのＳ６３において、会員サービス（デ・メロディ）を実施するためにＳ１０において双方の携帯電話機１２において予め設定された図７の出会いメロディ用プログラムが起動させられる。
【００４４】
図７において、ＳＡ１では、出会いメロディのサービスを開始する旨のメッセージ画面を携帯電話機１２の表示装置２６に表示させる。次いで、ＳＡ２において、自己の携帯電話機１２のＩＤ（たとえば携帯電話番号或いはアドレス）をブルートゥースにより発信させるための予め設定された比較的短い周期たとえば１０秒が経過したか否かが判断される。このＳＡ２の判断が肯定される場合は、ＳＡ３において、自己の携帯電話機１２のＩＤをブルートゥースにより発信させ、近辺に存在する他の携帯電話機１２に問い掛ける。上記ＳＡ２の判断が否定される場合は、前記接近検出手段９２に相当するＳＡ４において、上記ＳＡ３における問い掛けに対応して出会い相手の携帯電話機１２からブルートゥースにより発信されたＩＤが受信されたか否かが、予め記憶されたＩＤと一致するか否かに基づいて判断される。このＳＡ４の判断が否定される場合は、ＳＡ５において、たとえば２０分程度の予め設定された待機時間ｔW だけ経過したか否かが判断される。このＳＡ５の判断が否定される場合は上記ＳＡ２以下が繰り返し実行されるが、肯定される場合は、ＳＡ６において、出会いメロディのサービスを終了する旨のメッセージ画面を携帯電話機１２の表示装置２６に表示させる。
【００４５】
しかし、出会い相手の携帯電話機１２からブルートゥースにより発信されたＩＤが受信されて上記ＳＡ４の判断が肯定されると、前記接近信号送信手段９４に対応するＳＡ７において、出会い相手の携帯電話機１２か所定距離内に接近したことを示す出会い信号がサイト側すなわちサーバ２２へ送信される。このため、これを受けたサーバ２２側では、図６のＳ５８の判断が肯定されるので、前記音信号送信手段８６に対応するＳ６４において、双方の携帯電話機１２へ設定された出会いメロディーを出力させるための音情報としての曲データがサーバ２２からそれぞれ送信される。上記ＳＡ７に続くＳＡ８では、サーバ２２から送信されてきた曲データに基づいて出会いメロディーが再生され、双方の携帯電話機１２のスピーカ６４から出力される。
【００４６】
上述のように、本実施例によれば、予約成立判定手段８０（Ｓ３４、Ｓ４３）により出会い日時および場所の予約が両者間で成立したと判定される場合は、音出力指令手段８２（Ｓ２５、Ｓ５８、Ｓ６４）により、その出会い日時において出会いを予約した携帯電話機１２であることを示す予め選択された出会いメロディー（音声）がその携帯電話機１２から出力させられるので、申込者とその相手との間の出会いに際して、申込み者およびその相手を容易に或いは客観的に特定できるようになる。
【００４７】
また、本実施例によれば、上記音出力指令手段８２は、申込者およびその相手の一対の携帯電話機１２の一方が他方の携帯電話機１２に接近したことを判定する接近判定手段８４（Ｓ５８）と、その接近判定手段８４により一対の携帯電話機１２の一方が他方の携帯電話機１２に接近したことが判定されると、予め選択された出会いメロディー（音）を携帯電話機１２からそれぞれ出力するための音情報（曲データ）をそれら携帯電話機１２へ送信する音情報（曲データ）送信手段８６（Ｓ６４）とを有するものである。このようにすれば、一対の携帯電話機１２の一方が他方の携帯電話機１２に接近すると、出会いメロディー（音声）を出力するための音情報（曲データ）がサーバ２２から送信され、その送信された音情報（曲データ）に基づく出会いメロディーが出会いの場で携帯電話機１２から出力される。このため、申込者およびその相手が相互に接近すると予め設定された出会いメロディーが出力されることが両者にとって一種の出会いの演出或いはエンターティメントとなるので、一層印象的或いは感激的な出会いが得られる利点がある。尚、上記音出力指令手段８２は、あらかじめ携帯電話機１２に、予め選択された出会いメロディの音情報（曲データ）を送信しておき、接近判定手段８４により一方が他方の携帯電話機１２に接近したときに、出会いメロディを出力する指令のみを送信するように構成してもよい。更には、指令を送信することなく、双方の携帯電話機１２が接近したときに携帯電話機１２内の処理で出会いメロディを出力するようにしてもよい。
【００４８】
また、本実施例によれば、申込者の携帯電話機１２の操作によって予め選択された出会いメロディー（音）の種類を記憶する音記憶手段８８（Ｓ２５）が設けられ、前記音情報送信手段８６（Ｓ６４）はその音記憶手段８８により記憶された音を出力させるための音情報（曲データ）を送信するものである。このようにすれば、申込者は出会いの場で出力される出会いメロディーの曲名（種類）を自ら選択することにより予め知っているので、出会いが容易となる。
【００４９】
また、本実施例によれば、申込者の携帯電話機１２の操作によって出会いメロディー（音）の曲名を相手に通知するか否かを設定する音出力内容通知設定手段９０（Ｓ２５）が設けられ、その音出力内容通知設定手段９０により相手に出会いメロディー（音）の曲名を通知するように設定されている場合は、その出会いメロディー（音）の曲名も出会いデータと共にその相手の携帯電話機１２に送信するものである。このようにすれば、出会いの場において、相手側も出会いメロディーの曲名を知っているので、一層出会いが容易となる。
【００５０】
また、本実施例によれば、申込者およびその相手の携帯電話機１２は、それぞれのユーザＩＤをブルートゥースで発信するとともに、発信されたユーザＩＤに基づいて相互の所定距離内の接近を検出する接近検出手段９２（ＳＡ４）と、その接近検出手段９０により接近が検出されるとその接近を表す接近信号をサーバ２２へ送信する接近信号送信手段９４（ＳＡ７）とを備えたものであり、前記接近判定手段８４は、その接近信号送信手段９４により携帯電話機１２から送信された接近信号に基づいて一対の携帯電話機１２の一方が他方の携帯電話機１２に接近したことを判定するものであるので、ブルートゥースで発信される電波の到達距離（約数十メータ）である所定距離内の接近が高い精度で検出される。
【００５１】
また、本実施例によれば、予め会員登録された申込者の携帯電話機１２から入力された出会いデータを示す待ち合わせ設定画面Ｄ８を、その携帯電話機１２から入力された相手の携帯電話機１２の表示装置２６に表示させる出会いデータ表示手段９６（Ｓ３３）と、その出会いデータ表示手段９６により表示された出会いデータが示す出会い条件が相手に受理されたか否かをその相手の携帯電話機１２から入力操作に基づいて判定する出会い予約成立判定手段８０（Ｓ３４、Ｓ４８）と、その予約成立判定手段８０により出会い条件が相手に受理されたことが判定された場合には、双方の携帯電話機１２に予約成立確認画面Ｄ９を表示させる予約成立確認画面表示手段１００（Ｓ５１）とが、さらに含まれるものである。このため、出会いデータ表示手段９６により表示された出会いデータが示す出会い条件が相手に受理されたか否かが予約成立判定手段８０（Ｓ３４、Ｓ４８）により判定され、その予約成立判定手段８０により出会い条件が相手に受理されたことが判定された場合には、予約成立確認画面表示手段１００により双方の携帯電話機１２に予約成立確認画面Ｄ９が表示されるので、出会い条件が相手に受理されたことが申込者によって確認される。
【００５２】
また、本実施例によれば、出会いデータが示す出会い条件を相手もしくは申込者の携帯電話機１２からの入力操作に基づいて変更し、変更後の出会いデータを示す待ち合わせ設定画面Ｄ１１を申込者もしくは相手の携帯電話機１２に表示させる出会い条件変更手段１０２（Ｓ４２、Ｓ３３）を含み、出会い予約成立判定手段８０は、その出会い条件変更手段１０２により変更された出会い条件が申込者もしくは相手によって受理されたか否かをその申込者もしくは相手の携帯電話機から入力操作に基づいて判定するものである。このように、出会い予約成立判定手段８０は、その出会い条件変更手段１０２により画面が変更された出会い条件が申込者もしくは相手によって受理されたか否かをその申込者の携帯電話機１２から入力操作に基づいて判定するものであるので、相手もしくは申込者によって出会い条件が変更された後において、予約成立確認画面表示手段１００により双方の携帯電話機１２に予約成立確認画面Ｄ９が表示されるので、出会い条件が相手に受理されたことが申込者もしくは相手によって確認される。
【００５３】
以上、本発明の一実施例を図面を用いて説明したが、本発明はその他の態様においても適用される。
【００５４】
たとえば、前述の実施例では、音出力指令手段８２は、予め確定された出会い日時（正確には１０分前）に到達したことが判定され（出会い日時到達判定手段１０４）、且つ申込み者側の携帯電話機１２と相手側の携帯電話機１２とが所定距離内に接近したことが接近判定手段８４に判定されたときに出会いメロディー（音）を各携帯電話機１２から出力するように指令していたが、予め成立された出会い日時に到達したと判定されただけで出会いメロディー（音）を各携帯電話機１２から出力するように指令してもよいし、申込み者側の携帯電話機１２と相手側の携帯電話機１２とが所定距離内に接近したことが接近判定手段８４に判定されたことだけで出会いメロディー（音）を各携帯電話機１２から出力するように指令してもよい。このようにしても一応の効果が得られる。
【００５５】
また、前述の実施例では、出会い時の音として、出会いメロディーが用いられていたが、他の音楽、旋律、歌うのに適した詩、歌曲などであってもよいし、メッセージ、破壊音、爆発音、波の音の擬音、ライオンなどの動物の鳴き声などの音声であってもよい。
【００５６】
また、前述の実施例において双方の携帯電話機１２が相互に接近したとき、音声は双方の携帯電話機１２から出力されていたが、相手側或いは申込み者側の一方の携帯電話機から出力させてもよい。この場合、あらかじめ選択された出会いメロディの音情報（曲データ）を携帯電話機に送信しておき、接近判定手段８４が双方の携帯電話機の接近を判定したとき、携帯電話機１２内の処理のみで出会いメロディを出力するように構成することも可能である。
【００５７】
また、前述の実施例では、双方の携帯電話機１２に接近検出手段９２および接近信号送信手段９４がそれぞれ設けられていたが、一方の携帯電話機１２に設けられていてもよい。
【００５８】
また、前述の実施例では、双方の携帯電話機１２が相互に接近したことが、ブルーツースによる電波が用いられていたが、それに換えて、ＧＰＳ、超音波、赤外線などを利用した接近検出が行われてもよい。また、ＰＨＳなどの他の携帯電話機では、たとえば多数配置された中継アンテナの通信範囲に基づいてから位置が特定されるので、携帯電話機に接近検出手段を設けることが不要となる。
【００５９】
また、前述の実施例では、Ｓ１１において会員登録毎に課金が行われていたが、登録の期間毎、出会いの申し込み毎、出会いの予約成立毎、実際の出会い毎から選択された少なくとも１つの機会に課金が行われるようにしてもよい。
【００６０】
また、前述の実施例の相手は一人であることを前提として説明されていたが、相手は複数であっても差し支えない。
【００６１】
なお、上述したのはあくまでも本発明の一実施例であり、本発明はその主旨を逸脱しない範囲において種々変更が加えられ得るものである。
【図面の簡単な説明】
【図１】本発明の一実施例のサーバが組み込まれた出会い支援サービスシステムの構成を説明する通信系統図である。
【図２】図１の出会い支援サービスシステムに用いられる携帯電話機の要部構成を説明するブロック図である。
【図３】図１のサーバの制御機能の要部すなわち出会い支援制御機能を説明する機能ブロック線図である。
【図４】図１のサーバの制御作動の要部すなわち出会い支援制御作動を説明するフローチャートの一部である。
【図５】図１のサーバの制御作動の要部すなわち出会い支援制御作動を説明するフローチャートの一部である。
【図６】図１のサーバの制御作動の要部すなわち出会い支援制御作動を説明するフローチャートの一部である。
【図７】図２の携帯電話機における制御作動の要部すなわち出会いメロディー用プログラムの作動を説明するフローチャートである。
【図８】図４乃至図６の制御作動によって携帯電話機に表示されるトップメニュー画面Ｄ１を示す図である。
【図９】図４乃至図６の制御作動によって携帯電話機に表示される会員登録画面Ｄ２を示す図である。
【図１０】図４乃至図６の制御作動によって携帯電話機に表示される待ち合わせデータ入力画面Ｄ３を示す図である。
【図１１】図４乃至図６の制御作動によって携帯電話機に表示される待ち合わせ設定画面Ｄ４を示す図である。
【図１２】図４乃至図６の制御作動によって携帯電話機に表示されるメロディー設定画面Ｄ５を示す図である。
【図１３】図４乃至図６の制御作動によって携帯電話機に表示される申込み側の設定確認画面Ｄ６を示す図である。
【図１４】図４乃至図６の制御作動によって携帯電話機に表示される変更通知画面Ｄ７を示す図である。
【図１５】図４乃至図６の制御作動によって携帯電話機に表示される待ち合わせ設定画面Ｄ８を示す図である。
【図１６】図４乃至図６の制御作動によって携帯電話機に表示される予約成立確認画面Ｄ９を示す図である。
【図１７】図４乃至図６の制御作動によって携帯電話機に表示される返信メッセージ画面Ｄ１０を示す図である。
【図１８】図４乃至図６の制御作動によって携帯電話機に表示される変更後の出会いデータを示す待ち合わせ設定画面Ｄ１１を示す図である。
【符号の説明】
１２：携帯電話機
８０：予約成立判定手段
８２：音出力指令手段
８４：接近判定手段
８６：音情報送信手段
９０：音出力内容通知設定手段
９６：出会いデータ表示手段
１００：予約成立確認画面表示手段
１０２：出会い条件変更手段
１０４：出会い日時到達判定手段
【図１】
0003896261.tif 000002
【図２】
0003896261.tif 000003
【図３】
0003896261.tif 000004
【図４】
0003896261.tif 000005
【図５】
0003896261.tif 000006
【図６】
0003896261.tif 000007
【図７】
0003896261.tif 000008
【図８】
0003896261.tif 000009
【図９】
0003896261.tif 000010
【図１０】
0003896261.tif 000011
【図１１】
0003896261.tif 000012
【図１２】
0003896261.tif 000013
【図１３】
0003896261.tif 000014
【図１４】
0003896261.tif 000015
【図１５】
0003896261.tif 000016
【図１６】
0003896261.tif 000017
【図１７】
0003896261.tif 000018
【図１８】
0003896261.tif 000019